(57)【要約】      （修正有）【課題】簡単に自立でき、ガードレールの支柱を併用して自立できる草刈用飛散防止専用ネットを提供する。【解決手段】直径５ｍｍ以上の小石は不通過であるが風透過性を有する長さ３〜４ｍ、高さ９０〜１２０ｃｍの長方形のネット部材１０と、一定間隔で道路沿いに配置される自立支柱部材２０とからなり、ネット部材はその上部長辺の両端に、他端に係止部を有し、かつ引っ張り力調整機能を備える弾性部材を取付け、支柱部材に係止部を係止することにより、弾性部材の収縮引っ張り力によりネットを水平長手方向に引っ張って設置可能である一方、ネット部材の下部長辺に一定間隔で垂直方向に重力を付与する複数のネット重し１３を備え、ネット重しはネット部材の設置時には地上にあってネット部材には実質的に重力を与えずネット部材の風圧による吹き上がり開始時には重力を付与して吹き上がりを防止する。【選択図】図１
0003149176.tif 000002
【実用新案登録請求の範囲】
【請求項１】
草刈現場の道路沿いに設置され、自立ネットを構成する草刈時に飛び石飛散を防護するための防護ネットであって、危険な小石は不通過であるが風透過性を有し、凡そ作業性のよい長さ、高さの長方形に形成されたネット部材(10)と、一定間隔で道路沿いに配置される自立支柱部材(20)とからなり
上記ネット部材(10)はその上部長辺の両端に、他端に係止部(11a)を有し、かつ引っ張  り力調整機能を備える弾性部材(11,11) を取り付け、上記支柱部材(20)に係止部を係止  することにより、該弾性部材の収縮引っ張り力によりネットを水平長手方向に引っ張っ  て張設可能である一方、該ネット部材の下部長辺に一定間隔で垂直方向に重力を付与する複数のネット重し(13 ・・・)を備え、該ネット重し(13)はネット部材の張設時には地上にあってネット部材には実質的に重力を与えずネット部材の風圧による吹き上がり開始時には重力を付与して吹き上がりを防止可能であることを特徴とする草刈用飛散防止専用ネット。
【請求項２】
草刈現場の道路沿いに設置され、自立ネットを構成する草刈時に飛び石飛散を防護するための防護ネットであって、小石は不通過であるが風透過性を有し、凡そ作業性のよい長さ、高さの長方形に形成されたネット部材(10)と、一定間隔で道路沿いに配置される自立支柱部材(20)とからなり、
上記ネット部材(10)はその上部長辺の両端に、他端に係止部(11a)を有し、かつ引っ張り力調整機能を備える弾性部材(11,11)を取り付け、上記支柱部材に係止部を係止することにより、該弾性部材の収縮引っ張り力によりネットを水平長手方向に引っ張って張設可能である一方、該ネット部材の下部長辺に一定間隔で垂直方向に重力を付与する複数のネット重し(13 ・・・)を備え、該ネット重し(13)はネット部材の張設時には地上にあってネット部材には実質的に重力を与えずネット部材の風圧による吹き上がり開始時には重力を付与して吹き上がりを防止可能であり、
上記自立支柱部材(20)は地面に配置される重し板(21)とその中心から起立する金属支柱(22)と該支柱の上端に設けられた係合部(22a)を備えるとともに、上記重し板(21)はネットにかかる風圧およびネットを水平長手方向に張設する引っ張り力に耐え転倒しない自重を有し、そのいずれか１辺には上記支柱(22)と相まって持ち上げ運搬を容易にするハンドル部(23)が固設される一方、他の一辺には支柱を持って転がし運搬を可能とするローラ(24)が固設されてなることを特徴とする移動式自立草刈用飛散防止専用ネットの組み立てセット。
【請求項３】
上端が開口した円錐形部(25a)と下部方形台部(25b)からなる道路工事用コーン部材(25)および該コーン部材のコーン部下部に嵌り込む重しゴム部材(26)を備え、上記自律支柱部材(20)の起立金属支柱(22)に円錐形部(25a)を挿通し、下部方形台部(25b)を重し板(21)のローラ(23)の取り付け部とハンドル部(24)の取り付け部との間に固定させる請求項２記載の移動式自立草刈用飛散防止専用ネットの組み立てセット。
【請求項４】
上記ネット重し(13)が取り付け紐付きゴム重しであって、ネット部材の張設時には地上にあってネット部材には実質的に重力を与えない請求項１または２記載の移動式自立草刈用飛散防止専用ネット。
【考案の詳細な説明】
【技術分野】
【０００１】
この考案は、草刈時に飛散する飛び石の飛散を防護する草刈用飛散防止専用ネットおよびその自立組み立てセットに関する。
【背景技術】
【０００２】
従来、道路際および道路センターラインの分離帯における草刈作業は高速回転する草刈刃が誤って小石や空き缶を飛散させ、道路を通行する自動車および人間を傷つける場合が少なくない。そのため、近年飛び石等の飛散事故を防止するため、道路わきの草を刈り取る作業の際に、電動刈取機で草を刈る作業者とは別の作業者が、コンパネ、ベニヤ等の板材を路側に立ててこれを保持し、この板材を保持した作業者が、草刈り作業の進行に伴って移動し、飛散防止を行っている。しかしながら、車両が往来する道路に作業員を立たせておくことは、大変危険である。また、飛び石等の飛散距離は草刈位置の前方５メートル以上に及び、それに必要な長尺の板材等を一人で保持することは困難であり、複数人で防護するとしても草刈り作業とともに、前方に移動する作業は極めて重労働である。そこで、人手によらず、草や小石等の飛散を防止する防止ネットが提案されている（例えば、特許文献１）。これは、金属フレームの内部にネットを張り、持ち運びのための持手を付けると共に、別体の駆体に重ね合わせて使用することにより、自立及び車輪による自走を可能としたものである。しかしながら、上記の防止ネットは、四角形のフレームにネットを張っているために嵩張り、持ち運びに不便であった。また、作業現場までの搬送の際に、荷台を有するトラック等を必要とするという問題があった。また、自立させることが前提であるため、安定して自立させるためには、サイズをそれほど大きくできなかった。そのため、草刈り作業の進行に伴って頻繁に移動させなくてはならず、草刈り作業が度々中断されるという問題があった。そこで、道路わきのガードレール等の柵体を利用すべくガードレールに、スライド可能に係止可能な係合部をネットに一定間隔で設置させることにより、ガードレールに沿って拡縮可能となし特に草刈作業の進行方向の長手方向に、広範囲にわたって延在させる防護ネットが提案されている（特許文献２）。しかしながら、すべての草刈位置にガードレールが設置されているわけでなく、利用範囲が極めて限定されるという不具合がある。
【０００３】
【特許文献１】実用新案登録第３１０７６４９号公報
【特許文献２】特開２００７−３７４２７号
【考案の開示】
【考案が解決しようとする課題】
【０００４】
そこで、本考案は運搬容易でガードレールがなくても移動式支柱を用いて簡単に自立でき、ガードレールがあればその支柱を併用し自立できる草刈用飛散防止専用ネットおよびその組み立てセットを提供することを課題とする。
【課題を解決するための手段】
【０００５】
本考案は草刈現場の道路沿いに設置され、自立ネットを構成する草刈時に飛び石飛散を防護するための防護ネットであって、例えば直径５ｍｍ以上の小石は不通過であるが風透過性を有し、凡そ作業性のよい長さ長さ３〜４ｍ、高さ９０〜１２０ｃｍの長方形に形成さ
れたネット部材１０と、一定間隔で道路沿いに配置される自立支柱部材２０とからなり
上記ネット部材１０はその上部長辺の両端に、他端に係止部１１aを有し、かつ引っ張り力調整機能を備える弾性部材１１，１１を取り付け、上記支柱部材に係止部を係止することにより、該弾性部材の収縮引っ張り力によりネットを水平長手方向に引っ張って張設可能である一方、該ネット部材の下部長辺に一定間隔で垂直方向に重力を付与する複数のネット重し１２、・・・を備え、該ネット重し１２はネット部材の張設時には地上にあってネット部材には実質的に重力を与えずネット部材の風圧による吹き上がり開始時には重力を付与して吹き上がりを防止可能であることを特徴とする草刈用飛散防止専用ネットにある。
【考案の効果】
【０００６】
本考案のネットは折り畳み収納運搬が容易であり、ガードレールのない場所でも使用できる。また、ネットの自重を考慮して両端の弾性部材の調整により垂れ下りなく張設でき、取り外しも容易である。ネットは小石の飛散を防止する一方、風は通し、強風でのあおりがないように重しがあるので、飛散防止ミスがない。更に、ガードレールの支柱を利用してこれを簡単に張設することができるが、ガードレールの支柱に代えて自立支柱を利用することも可能である。上記自立支柱部材２０としては、地面に配置される重し板２１とその中心から起立する金属支柱２２と該支柱の上端に設けられた係合部２２ａを備えるとともに、上記重し板２１はネットにかかる風圧およびネットを水平長手方向に張設する引っ張り力に耐え転倒しない自重を有し、そのいずれか１辺には上記支柱２２と相まって持ち上げ運搬を容易にするハンドル部２３が固設される一方、他の一辺には支柱を持って転がし運搬を可能とするローラ２４が固設されてなるものを使用すると、上記ネットとともに、ガードレールがないところでも移動式自立草刈用飛散防止専用ネットを組み立て容易である。したがって、あらゆる場所での草刈り作業に適用することができ、実用価値は極めて高い。さらに、上端が開口した円錐形部２５aと下部方形台部２５bからなる道路工事用コーン部材２５および該コーン部材のコーン部下部に嵌り込む重しゴム部材２６を備え、上記自律支柱部材２０の起立金属支柱２２に円錐形部２５aを挿通し、下部方形台部２５bを重し板２１のローラ２３の取り付け部とハンドル部２４の取り付け部との間に設置させるようにすると、草刈作業中であることを注意喚起させることができ、上記ネット重し１２を取り付け紐付きゴム重しとすることにより、金属重しを使用するに比して風による吹き上がり時の危険を回避し、さび汚れを防止することができる。
【考案を実施するための最良の形態】
【０００７】
本考案は草刈現場の道路沿いに設置され、自立ネットを構成する草刈時に飛び石飛散を防護するための防護ネットであって、図1に示すように直径５ｍｍ以上の小石は不通過であるが風透過性を有し、凡そ長さ３〜４ｍ高さ９０ｃｍから１２０ｃｍの略長方形に形成されたネット部材１０と、一定間隔で道路沿いに配置される：自立支柱部材２０とからなる。
【０００８】
上記ネット部材１０はその上端長辺を一定間隔で縫うように虎ロープ１１が挿通されるとともに、一定間隔で複数の目印リボン１４が付設されている。虎ロープ１１のその両端には、他端にＳ字フックからなる係止部１２aを有し、かつ引っ張り力調整機能を備える弾性部材１２，１２が連結されている。弾性部材はゴム紐をもって構成され、長さと巻き回数の調整により引張り強度調節可能に取り付けられる。ゴム紐の代わりに各１個又は複数個のスプリングを用いるようにしてもよい。この弾性部材１２を上記支柱部材２０に係止部２１ａに係止することにより（図２参照）、該弾性部材の収縮引っ張り力によりネットを水平長手方向に引っ張って張設して組み立てられる（図１参照）。
他方、該ネット部材１０の下端長辺には一定間隔で垂直方向に重力を付与する複数のネット重し１３、・・・を備える。ネット重し１３には、円錐台形状のゴム重しが用いられ、連結紐等によりネット部材下端に取り付けられる。
このゴム重しはネット部材１０の張設時（図１）には地上にあってネット部材には実質的に重力を与えないが、ネット部材１０が風圧による吹き上がり開始時には重力を付与して吹き上がりを防止可能である。また、金属重しを使用するに比して風による吹き上がり時の危険を回避し、さび汚れを防止することもできる。
【０００９】
上記自立支柱部材２０は図３に示すように、地面に配置される自重２０Ｋｇの鉄板から構成される重し板２１と、その中心から起立する長さ１２０ｃｍの鉄管からなる金属支柱２２と、該支柱の上端に設けられたリング状係合部２２ａを備えるとともに、上端が開口した円錐形部２５aと下部方形台部２５bからなる道路工事用コーン部材２５および該コーン部材のコーン部下部に嵌り込む重しゴム部材２６を備える。上記コーン部材２５は、上記自立支柱部材２０の起立金属支柱２２に円錐形部２５aを挿通し、下部方形台部２５bを重し板２１のローラ２３の取り付け部とハンドル部２４の取り付け部との間に設置させる。
【００１０】
上記重し板２１はネットにかかる風圧およびネットを水平長手方向に張設する引っ張り力に耐え転倒しない自重を有しているため、その相対向する１辺にはハンドル部２３が固設され、図４に示すように上記支柱２２と相まって持ち上げ運搬を容易にする工夫がなされている。他の一辺には一対のローラ２４がやや内方によって固設され、図５に示すように支柱２１を持って傾斜させ、転がし運搬が可能となっている。よって、自立支持支柱の取り扱いが容易となっている。
【図面の簡単な説明】
【００１１】
【図１】本考案の一実施形態の防護ネットの正面図である。
【図２】防護ネットの取付け状態を示す説明図である。
【図３】本考案の自立支持部材の構成を示す分解斜視図である。
【図４】本考案の自立支持部材の持ち運びの説明図である。
【図５】本考案の自立支持部材の転がし移動の説明図である。
【符号の説明】
【００１２】
１０防護ネット部材
１２弾性部材
２０自立支持部材
２１重し板
２２  金属支柱
【図１】
0003149176.tif 000003
【図２】
0003149176.tif 000004
【図３】
0003149176.tif 000005
【図４】
0003149176.tif 000006
【図５】
0003149176.tif 000007